(57)【特許請求の範囲】
【請求項１】
便器本体の内底面に形成された所定量の液体を一時貯留可能とするトラップ部と、
前記便器本体に対し洗浄水を供給可能とするバルブ付き洗浄水配管とを備えた小便器に設置され、そのバルブの開閉制御をする小便器用洗浄システムであって、
前記トラップ部よりも上方に設置された圧力センサと、
前記便器本体背面に設けられたタンクと、
前記トラップ部と前記タンクとを結ぶ太配管と、
前記タンクと前記圧力センサの導圧部とを結ぶ細配管とを備え、
かつ、前記太配管側に前記トラップ部内の液体を侵入可能とするとともに、その侵入した液体により前記太配管から前記導圧部に至る経路を閉塞するようにし、
前記トラップ部の液面変化を前記経路内に閉塞された気体を通じて前記圧力センサで検出し、その検出結果に応じて前記バルブの開閉制御を行う制御手段を設けたことを特徴とする小便器用洗浄システム。
【発明の詳細な説明】
【０００１】
【発明の属する技術分野】
本発明は、小便器用洗浄システムに関するものである。
【０００２】
【従来の技術】
良く知られているように、小便器の場合には、用足しをした後に小用を受ける便器本体を洗浄するために、その便器本体の内部天面より洗浄水（一般には、通常の水が使用される）を流すようになっている。
【０００３】
そして、係る洗浄水を流すためには、便器本体の上部に取り付けられた小便器洗浄弁の押しボタンを使用者が押下することを条件とし、一定量の洗浄水が流れ出た後、停止するようにしたものがある。しかし、その様に使用者の押下を開始条件にすると、使用者が押し忘れると洗浄ができない。さらには、いたずら等により必要以上に何回も押しボタンが押下されるおそれもあり、洗浄水が無駄に使用されてしまうという問題もある。さらに、使用後に人が押下する作業自体が煩雑であるという問題もある。
【０００４】
そこで、上記問題を解決するものとして、例えば小便器の上方に赤外線センサを設置し、一定時間以上小便器の前に人が立ち止まっている場合には、その後に人が小便器の前から離れたことを検知し、一定量の洗浄水を流すようにした洗浄システムもある。係るシステムでは、人がいちいち押しボタンを押下する必要がなく、また、使用後に人が離れると自動的に洗浄水が流れるので、洗浄のし忘れもないという利点を有する。
【０００５】
【発明が解決しようとする課題】
しかしながら、上記した赤外線センサを用いた洗浄システムでは、センサ部を外部から見える位置に設置するため、わざとセンサ部の前に手等をかざした状態を一定時間保持し、その後に係る手等をどかすと、あたかも人が小用を足していたのと同様のセンサ出力が得られ、誤動作して洗浄水が流れてしまうおそれがある。また、センサ部自体を押下して破損してしまうおそれもある。このように、赤外線が外部に露出する構造の洗浄システムでは、いたずらに弱いという欠点を有する。
【０００６】
また、子供等の背の低い人が使用した場合には、赤外線の検出エリアに届かないため、係る人の存在を検知できず、洗浄水を流さなければいけないところ自動的に洗浄水を流すことができなくなるおそれがある。さらに、例えば用足しをするつもりで小便器の前に一定時間たっていたが、結局用足しをしないで小便器から離れた場合には、節水等の観点からは便器本体は汚れていないため洗浄水を流す必要はないが、従来の赤外センサを用いた洗浄システムの場合には、洗浄水は流れてしまう。このように、実際の小用の有無等の使用状態に適した動作が行えないという問題もある。
【０００７】
さらには、センサが露出していることからデザイン面からも違和感があった。また使用者の有無により水を流すため、例えば配水管が詰まっている場合であっても、一定量の洗浄水が流れてしまうため、便器本体外部へあふれてしまうというおそれがある。さらにまた、各使用者が用足しをした尿量を検知できないため常に一定の洗浄水を流しており無駄が多かった。さらには、当然のことながら洗浄水の断水や出っぱなしを検知することはできない。
【０００８】
本発明は、上記した背景に鑑みてなされたもので、その目的とするところは、上記した問題を解決し、使用状態に応じた適量の洗浄水を流すことができ、また、いたずら防止や外部へのあふれ防止や、洗浄水の断水や出っぱなし等の異常警報出力や、節水を図ることができ、さらに上記処理を行うためのセンシングシステム内での異物の詰まりがなく、常時正確に小便器の状態を検出でき、かつ用足しの有無等を検知するためのセンサを外部に露出させず、センサに直接触れられて損傷するのを防止するとともにデザイン面でも良好な小便器用洗浄システムを提供することにある。
【０００９】
【課題を解決するための手段】
上記した目的を達成するために、本発明に係る小便器用洗浄システムでは、便器本体の内底面に形成された所定量の液体を一時貯留可能とするトラップ部と、前記便器本体に対し洗浄水を供給可能とするバルブ付き洗浄水配管とを備えた小便器に設置され、そのバルブの開閉制御をする小便器用洗浄システムを前提とする。そして、前記トラップ部よりも上方に設置された圧力センサと、前記便器本体背面に設けられたタンクと、前記トラップ部と前記タンクとを結ぶ太配管と、前記タンクと前記圧力センサの導圧部とを結ぶ細配管とを備え、かつ、前記太配管側に前記トラップ部内の液体を侵入可能とするとともに、その侵入した液体により前記太配管から前記導圧部に至る経路を閉塞するようにし、前記トラップ部の液面変化を前記経路内に閉塞された気体を通じて前記圧力センサで検出し、その検出結果に応じて前記バルブの開閉制御を行う制御手段を設けるようにした（請求項１）。
【００１０】
本発明では、用足しをすると、トラップ部に排尿した尿が溜まるため、水位が上昇する。すると、経路内の水位も上昇するので、経路内の気体が圧縮されて圧力が上昇する。従って、圧力センサを用いて係る圧力上昇を検出することにより、排尿されたことを検知することができる。よって、その検知結果に基づいて出力する制御手段からの制御命令に応じてバルブを開くと、洗浄水が流れる。圧力センサで排尿の有無を検知できるので、子供のように背が低くても動作し、赤外線センサのように手等をかざすことによる誤動作がなく、また、センサも内部に設置できるので、損傷する可能性も低くなり、いたずらされにくい。
【００１１】
さらに、前記経路が、前記便器本体背面に設けられたタンクと、そのタンクと前記トラップ部を結ぶ太配管と、前記タンクと前記圧力センサとを結ぶ細配管とを備えて構成しているので、トラップ部側より異物が経路内に流入してきたとしても、その流入側は太配管となっておりその配管路の断面積が大きいため、トラップ部内の水位の減少に伴いスムーズに異物もトラップ部側に排出される。よって経路内で詰まりを生じる可能性が可及的に減少する。
【００１２】
また、前記制御手段の機能として、排尿された尿量を検出する機能を設けると、尿量が多い場合には、それに応じて洗浄水の量も多くすることができ、逆に尿量が少ない場合には、洗浄水の量も少なくできる。これにより、不必要に大量の洗浄水を流す必要がなくなり、節水効果が期待できる。
【００１３】
さらに、センサ出力に基づいて、前記トラップ部または便器本体内に溜まった液体の水位を求めることができるので、その水位が設定値を超えたか否かを判別することにより、前記バルブの開度を変えるようにすることもできる。ここで、開度を変えるとは、設定値を超えたときにバルブを開状態から閉状態にすることと、単位時間あたりの流量を減少させるべく少しバルブの開き具合を狭めることの両方を含む。係る構成にすると、例えば、小便器の配水管が詰まっていたりした場合には、そのまま洗浄水を流し続けると、水位が上昇して便器本体からあふれ出てしまうが、その前にバルブを閉じて洗浄水の供給を停止したり、開き具合を減少して単位時間当たりに流れる流量を減少することにより、あふれ出るのを未然に防止できる。
【００１４】
【発明の実施の形態】
図１は、本発明に係る小便器用洗浄システムの第１の実施の形態を示している。同図に示すように、尿を受ける前面開放された便器本体１の底面中央には、凹部２が形成され、その凹部２の中央には、排水管３が一体に形成されている。そして、その排水管３の上端３ａは、凹部２の底面よりも上方に突出形成されている。さらに、上記配水管３の上端３ａには、下方開口された筒状の蓋４が被せられている。そして、この凹部２，配水管３並びに蓋４によりトラップ部５が構成されている。
【００１５】
このトラップ部５は、よく知られているように、凹部２内に液体が流入してくると、当初は、そのまま配水管３から排出されずに、凹部２内に液体（水）が貯留する。そして、一定以上凹部２に液体が溜まると、それ以上の液体は配水管３を介して排出されるようなっている。つまり、凹部２内に流入してきた液体は、蓋４の適宜位置に設けられた開口を介して蓋４内に流入し、その蓋４の内面と配水管３の外面との間に進む。そして水位が上昇して排水管３の上端３ａよりも上方に達すると、配水管３，蓋４間に存在する液体が排水管３の上方開口より配水管３内に流れ込み、排出されるようになっている。なお、係る構成は、従来のものをそのまま用いることができるので、その詳細な構成の説明を省略する。
【００１６】
また、便器本体１の内部天面には、洗浄水配管７の先端が接続され、また、この洗浄水配管７の途中に流量調整バルブ８が配置されている。そして、流量調整バルブ８を開くと洗浄水配管７の先端から便器本体１内に洗浄水が供給され、流量調整バルブ８を閉じると、便器本体１内への洗浄水の供給が停止されるようになっている。この様にバルブの開閉により洗浄水の供給・停止を行うのは従来と同様である。
【００１７】
ここで本発明では、バルブを開いている時には、その開度を調整できるようにしている。このように開度を調整することにより、単位時間当たりに流れる洗浄水の流量を調整できるようになっている。そして、その開度は、微圧力センサユニット１０から出力される制御信号に基づいて調整されるようになっている。
【００１８】
微圧力センサユニット１０は、半導体圧力センサ（微圧センサ）と、そのセンサからの出力信号に対して所定の信号処理を行う信号処理回路とを備え、用足しされているか否かや、用足しされた際の尿量や、異常の有無等を判別し、その判別結果に応じてバルブの開度を決定し、その決定した開度になるように制御信号を流量調整バルブ８に送るようになっている。なお、具体的な構成については後述する。
【００１９】
一方、便器本体１の背面側には、タンク１１を設置し、そのタンク１１と前記トラップ部５とを太配管１２で連結する。この太配管１２の取り付け位置は、平常時にトラップ部５内に溜まる液体の液位（水位）よりも下側に設置する。これにより、トラップ部５内に存在する液体の一部が、太配管１２内に侵入し、さらにはタンク１１内にまでも侵入する。そして、トラップ部５の水位の昇降に追従してタンク１１内の水位も昇降する。その結果、両者５，１１の水位が同一になる。
【００２０】
さらに、タンク１１の上部に細配管１３の下端を取り付けるとともに、その細配管１３の上端を微圧力センサユニット１０の導入口に接続させる。係る構成にすることにより、太配管１２→タンク１１→細配管１３→センサユニット（微圧力センサ）１０の導圧部という経路が構成され、その経路のトラップ部５側にトラップ部５内の液体が入り込み、経路が閉塞される。これにより、係る液体と微圧力センサユニット１０とで囲まれた密閉空間内に空気が存在することになる。よって、トラップ部５の水位が上がると、それに追従して経路（タンク１１）の水位も上昇するため、上記密閉空間の容積が縮小し、密閉空間内の圧力が上昇する。逆に水位が下降すると、密閉空間内の圧力が減少する。従って、係る水位の変動に伴う圧力変化をセンサユニット１０内の半導体圧力センサ（微圧センサ）が検知することができるので、その半導体圧力センサの出力から、水位を求めることができる。また、例えば、水面が揺らいでいる（波打っている）ような場合には、小刻みに水位が変動するため、半導体圧力センサの出力も振動波形となる。このようなセンサ出力に基づき、便器本体１（トラップ部５）内の液体の状態を判別することができる。
【００２１】
そして、係る判別を行う微圧力センサユニット１０の内部構成の一例を示すと、図２のようになっている。同図に示すように、微圧力センサユニット１０は、圧力導入管１４ａをケースの外部に突出させ、その圧力導入管１４ａに上記した細配管１３の上端を装着するようにしている。そして、圧力導入管１４ａは、微圧センサ部１４内の半導体圧力センサに一体的に接続され、これにより、細配管１３内の空気が、半導体圧力センサの圧力室（図示せず）内に供給されるようになっている。よって、液面変化を微圧センサ部１４でとらえ、電気信号に変換して出力可能となる。
【００２２】
そして、この微圧センサ部１４の出力信号は、ハイパスフィルタ（ＨＰＦ）１５と、設定比較回路１６にそれぞれ与えられるようになっている。ＨＰＦ１５では、細かい液面変化に基づく特徴量（圧力値に応じた信号）を抽出し、次段の波形判別回路１７に送るようになっている。波形判別回路１７では、与えられた圧力情報すなわち液面情報（水位）に基づいて、用足しをしているか否かを判断するとともに、用足しをしている場合にはその尿量を計算し、その算出結果をバルブ制御回路１８に出力するようになっている。
【００２３】
ここでセンサ出力の一例を示すと、用足し時には、例えば図３（Ａ）のような波形が得られ、また外乱に基づく信号の場合には、例えば同図（Ｂ）のような波形が得られる。すなわち、同図（Ａ）に示すように、用を足しているときには、排尿が進むにつれてトラップ部５に尿がたまるため、そのトラップ部５内の水位が上昇し、圧力も上昇するので、センサ出力も上昇する。なお、実験を繰り返し行ったところ、トラップ部５にすでに比較的液体（水）がたまっている場合には、実線のような軌跡をとり、トラップ部５に液体がたまっていない（蒸発している）場合には、破線のような軌跡をとることがわかった。いずれの場合も、０秒時から排尿を開始し、数秒程度で排尿を停止している。排尿終了間際や終了後の波形に差があるが、いずれの場合も排尿開始時に徐々に圧力（水位）が上昇しているという特徴は共通している。
【００２４】
また、同図（Ｂ）に示すように、いたずらその他の外乱の場合には、トラップ部５の液面が揺れるものの、水位が上昇するわけではないので、出力波形は振動し、外乱がおさまると元の水位（圧力）に戻る。そして、振動中は開始時の値（基準値）よりも低くなることがある。
【００２５】
そこで本例では、波形判別回路１７にて、上記した図３（Ａ），（Ｂ）の２種類の状態を弁別し、図（Ａ）のように排尿と検出した場合には、その尿量を計測するようにしている。つまり、受け取った液面データ（ＨＰＦ１５の出力）から、一定のサンプリング間隔で具体的な検出値を取得し、それが徐々に上昇傾向にある場合には、用足しと判断できる。逆に、検出値が増加と減少を繰り返すような場合には、外乱と判断できる。そして、係る判断は、例えば、微分値を求めることにより容易に行える。また、用足しをした総尿量は、例えば排尿開始から停止時（微分値の出力が負になる時）までの検出値を積分することにより求められる。
【００２６】
また、外乱か否かは、例えばウインドコンパレータにより弁別することもできる。すなわち、図３に示すように、上下のしきい値Ｔｈ１，Ｔｈ２を適宜に選択すると、排尿に基づく波形（同図（Ａ））は、２つのしきい値Ｔｈ１，Ｔｈ２の間に存在するが、外乱に基づく波形（同図（Ｂ））は、しきい値Ｔｈ１，Ｔｈ２の範囲を超える。従って、係る２つのしきい値Ｔｈ１，Ｔｈ２をウインドコンパレータでの弁別レベルに設定すると、外乱波形の場合には、少なくとも一方のしきい値を越えるため、係るウインドコンパレータの出力に基づいて外乱の有無を弁別できる。
【００２７】
そして、バルブ制御回路１８は、与えられた尿量に関するデータに基づき、洗浄水の量を決定し、必要なバルブ開度を求めて流量調整バルブ８に対して制御信号を出力するようになっている。すなわち、尿量が少ない場合には、洗浄水の量も少なくて良いので開度を小さくし、逆に尿量が多い場合には、洗浄水の量も多くすべく開度を大きくするように決定する。そして、係る開度の決定は、例えば尿量と開度の関係を対にしたテーブルを作成しておき、そのテーブルを参照することにより求めても良く、或いは両者の関係を式で表わしておき、尿量を係る演算式に代入することにより求めるようにしても良く、種々の方式を採ることができる。
【００２８】
また、このような流量調整バルブ８に替えて、通常の開閉バルブ（開度の調整は不可）を用いても良い。係る場合には、洗浄水を流している時間を調整することにより、尿量に応じて供給する総洗浄水量を変えるようにすればよい。
【００２９】
一方、設定比較回路１６では、現在の水位のデータ（圧力値）と、便器本体１から外部にあふれる水位とを比較し、あふれ出そうな場合には、異常信号をバルブ制御回路１８と警報出力回路１９に出力するようになっている。そして、この設定比較回路１６の内部構成は、基本的には比較器で構成できる。つまり、現在の水位のデータは、圧力と等価であり、その圧力に応じた電気信号が微圧センサ部１４から出力されるので、係る信号を比較器の一方の入力端子に接続する。そして、便器本体１からあふれ出るときの水位、すなわち圧力に基づく電気信号はわかっているので、それよりも一定のマージンだけ低い値を、設定値として比較器の他方の入力端子に与えるようにする。これにより、センサ出力が設定値を越えた場合に比較器の出力がＨになり、異常信号を出力するようにすることができる。
【００３０】
そして、設定比較回路１６から異常信号を受けたバルブ制御回路１８は、あふれ出るのを防止すべく、流量調整バルブ８に対し、「開度＝０（バルブを閉じる）」旨の制御信号を発する。さらに、設定比較回路１６から異常信号を受けた警報出力回路１９では、ブザーを鳴らしたり、遠隔地の監視室に対して有線・無線により警報信号を発し、「小便器が故障してあふれ出ている／あふれ出るおそれがある」等を通知するようになっている。
【００３１】
また、上記設定比較回路１６として、入力に対して並列に比較器を複数設け、各比較器に与える設定値を異ならせることにより、水位に応じて段階的に警報を発することが可能となる。そして、このように段階的に出力することにより、水位が異常上昇しているが、あふれ出るまでに余裕がある場合には、バルブの開度を狭めて単位時間当たりの水量を減少させるようにし、さらに水位が上昇した場合には、バルブを閉じるようにするなど、バルブの開度の調整も状態に応じて多様にできる。
【００３２】
上記のように構成すると、圧力センサは使用者等から全く見えないため、いたずらはできないとともに、見ためがよくデザイン性に優れる。また波形判別処理により液面変化と水位を測定し、液面変化より各使用者の尿量を計算し洗浄水量を変化させ節水を行うことができる。また水位データの異常上昇により配水管詰まりと判断し洗浄水量を減少させて外部へのあふれを防止することができる。
【００３３】
さらに、センサ出力からとぎれのない液面変化があると、バルブの故障による水の出っぱなしと判断することができる。また、逆に全く変動を認識しない場合洗浄水が出力されていない、つまり上水道管の詰まりと判断することもできる。係る判別をするための機能を付加すると、より正確・精密な状態判断ができるので好ましい。
【００３４】
換言すると、本例では、使用時間と液面の増加・減少量より尿量を計算し、バルブの開度及びまたは開閉時間を定めることになる。そして、必要以上に水位が上昇し圧力も上昇してきた場合には、配水管の詰まりと判断しバルブの解放時間を短くしたり、バルブを閉じるなどの処理をとることができる。そして、さらに圧力設定値を越える場合には、警報を出すことができる。また、用足しがあったことを確認した後、バルブを開いても液面に変化が検知できない場合には、洗浄水の断水と判断し、警報を出すことができる。
【００３５】
さらにまた、トラップ部５内の液体は、径の太い太配管１２及びタンク１１内に存在するので、たとえごみ等の異物がトラップ部５から太配管１２側に流れ込んでも、そこで詰まるおそれは可及的に抑制され、また、水位の減少にともない、太配管１２，タンク１１内の液体がトラップ部側に流れ出されるので、それにともないごみ等も排出される。よって、常時正確な水位検知ができる。
【００３６】
また、使用時における密閉空間は、タンク１１の上方空間と細配管１３となり、その横断面積はタンク１１の方が大きい。したがって、水位の変動に対する圧力変動も大きくなり、より小さな水位変動も検出でき、水面の揺らぎの有無や変位量も高精度に検出できる。
【００３７】
図４は、本発明の第２の実施の形態を示している。本実施の形態では、図１に示す第１の実施の形態のものと基本的構成は同じにしている。そして、微圧力センサユニット１０に接続された細配管１３の途中、好ましくは、微圧力センサ導入口前に液体の通過を阻止するフィルタ２０を設置した点で異なる。そして、フィルタ２０としては、例えばゴアテックッス（登録商標）等の空気の通過は許容させつつ、水その他の液体の通過を遮断するものを用いることができる。
【００３８】
係る構成にすることにより、トラップ部５からの水、その他液体のセンサ内への侵入を防止し、半導体圧力センサの圧力室内に水等が侵入することによるセンサ出力の誤作動や、信号処理回路の故障の発生を未然に防止できるようになっている。なお、その他の構成並びに作用効果は、上記した第１の実施の形態と同様であるので、同一符号を付し、その説明を省略する。
【００３９】
図５は、本発明の第３の実施の形態を示している。本実施の形態は、上記した第２の実施の形態を基本としている。そして、流量調整バルブ８の下流側の洗浄水配管７から、分岐して洗浄用管２２を設け、その洗浄用管２２の先端（下端）２２ａを上記したタンク１１内に挿入し、そのタンク１１の底部近傍位置に位置させている。
【００４０】
係る構成にすると、流量調整バルブ８が開いて、洗浄水配管７を介して所定量の洗浄水が便器本体１に対して供給される際に、その洗浄水の一部が洗浄用管２２側に流れ込み、タンク１１内に供給される。これにより、洗浄水を流す都度に、洗浄水がタンク１１内に供給されて、内部の液体・異物ともどもトラップ部５側へ排出するので、より確実に経路内での詰まりが防止される。なお、その他の構成並びに作用効果は、上記した各実施の形態と同様であるので、その説明を省略する。
【００４１】
図６は、本発明の第４の実施の形態を示している。本実施の形態では、上記した第３の実施の形態を基準とし、細配管１３′の途中をＵ・逆Ｕ字状に湾曲させてトラップ２５を形成する。そして、そのトラップ２５の内部に、液状のシリコーン２６を充填している。これにより、シリコーン２６は耐薬品性に優れているため、細配管１３′を介して尿中のアンモニア等の気体が上昇してきても、そのアンモニア等はシリコーン２６で阻止され、それ以上の上昇を抑止することができる。よって、アンモニア等が微圧力センサユニット１０側に伝達するのが抑止できる。
【００４２】
そして、シリコーン２６は、重合度，側基の種類，橋かけの程度により、液状にしているので、水位が上昇すると、細配管１３′の先端側とシリコーン２６間での間に存在する空気が圧縮されるので、シリコーン２６が上方に移動し、それに伴いシリコーン２６と微圧力センサユニット１０との間の空気が圧縮されるので、ユニット内のセンサがその圧力変化を検知することができるようになっている。なお、その他の構成並びに作用効果は、上記した各実施の形態と同様であるので、その説明を省略する。
【００４３】
なお、シリコーン２６の上下で圧力の伝達ができれば、グリース状のシリコーンでも使用できる。また、シリコーンの場合には、撥水性にも優れているので、液体がシリコーンよりも上方に移動するのも阻止することができる。よって、図示した例では、フィルタ２０を設置しているが、フィルタ２０の機能も兼用することができ、フィルタ２０を設けなくてもフィルタ２０を設けたのに近い効果を得ることができる。なおまた、アンモニア等の不要な気体の上昇を阻止できるものであれば、シリコーンに限ることはなく、他の物質を阻止材としてトラップ２５内に充填するようにしてももちろん良い。
【００４４】
さらに、このようにシリコーン２６を充填したトラップ２５を設けた構造は、上記した各実施の形態のものに適用できる。つまり、第１の実施の形態や第２の実施の形態と組み合わせ、各実施の形態の細配管にトラップ２５を設けても良い。
【００４５】
また、第２の実施の形態以降の各形態では、いずれも細配管１３，１３′にフィルタ２０を設けた例について示したが、第１の実施の形態と同様に、第３，第４の実施の形態においてフィルタ２０を設けないようにしてももちろん良い。このように、各実施の形態同士を適宜に組み合わせることができる。
【００４６】
【発明の効果】
以上のように、本発明に係る小便器用洗浄システムでは、圧力センサにより、トラップ部内の水位の変化を検知し、その検知結果に応じて洗浄水を流すようにしたため、使用状態に応じた適量の洗浄水を流すことができ、また、いたずら防止や外部へのあふれ防止、洗浄水の断水や出っぱなしの異常警報、節水を図ることができる。
【００４７】
さらには用足しの有無等を検知するための圧力センサは、内部に設置できるので、係るセンサを外部に露出させず、センサに直接触れられて損傷するのを防止するとともにデザイン面でも良好となる。
【００４８】
そして、上記した各種の効果を発揮しつつ、太配管やタンクを設けたことにより、経路における詰まりの発生を可及的に防止できる。また、センサの検出感度も向上し、高精度な検出・制御が行える。
【図面の簡単な説明】
【図１】本発明に係る小便器用洗浄システムの第１の実施の形態を示す図である。
【図２】その微圧力センサユニットの内部構成を示す図である。
【図３】センサ出力の一例を示す図である。
【図４】本発明に係る小便器用洗浄システムの第２の実施の形態を示す図である。
【図５】本発明に係る小便器用洗浄システムの第３の実施の形態を示す図である。
【図６】本発明に係る小便器用洗浄システムの第４の実施の形態を示す図である。
【符号の説明】
１  便器本体
５  トラップ部
７  洗浄水配管
８  流量調整バルブ（バルブ）
１０  微圧力センサユニット
１１  タンク（経路）
１２  太配管（経路）
１３，１３′  細配管（経路）
１４  微圧センサ部（圧力センサ）
【図１】
0003581228.tif 000002
【図２】
0003581228.tif 000003
【図３】
0003581228.tif 000004
【図４】
0003581228.tif 000005
【図５】
0003581228.tif 000006
【図６】
0003581228.tif 000007